【手続補正書】
【提出日】平成29年10月12日(2017.10.12)
【手続補正１】
【補正対象書類名】特許請求の範囲
【補正対象項目名】全文
【補正方法】変更
【補正の内容】
【特許請求の範囲】
【請求項１】
第１電極および第２電極を有する放電灯に駆動電流を供給する放電灯駆動部と、
前記放電灯駆動部を制御する制御部と、
を備え、
前記駆動電流は、前記放電灯に交流電流が供給される第１波形期間および第２波形期間を有し、
前記第１波形期間および前記第２波形期間は、
前記第１電極が陽極となる第１極性期間と前記第２電極が陽極となる第２極性期間とからなり前記第１極性期間の長さが前記第２極性期間の長さよりも大きい第１単位駆動期間が複数連続して構成される第１交流期間と、
前記第１極性期間と前記第２極性期間とからなり前記第２極性期間の長さが前記第１極性期間の長さよりも大きい第２単位駆動期間が複数連続して構成される第２交流期間と、
を含み、
前記第２波形期間の前記第１交流期間における前記第１極性期間の長さの合計は、前記第１波形期間の前記第１交流期間における前記第１極性期間の長さの合計よりも大きく、
前記第２波形期間の前記第２交流期間における前記第２極性期間の長さの合計は、前記第１波形期間の前記第２交流期間における前記第２極性期間の長さの合計よりも大きいことを特徴とする放電灯駆動装置。
【請求項２】
前記第２波形期間は、前記第１交流期間のみからなる第１交流波形期間と、前記第２交流期間のみからなる第２交流波形期間と、を有し、
前記第１交流波形期間と前記第２交流波形期間との間には、前記第１波形期間が設けられる、請求項１に記載の放電灯駆動装置。
【請求項３】
前記第１交流期間の前記第１単位駆動期間における、前記第２極性期間の長さに対する前記第１極性期間の長さの比は、３．０以上であり、
前記第２交流期間の前記第２単位駆動期間における、前記第１極性期間の長さに対する前記第２極性期間の長さの比は、３．０以上である、請求項１または２に記載の放電灯駆動装置。
【請求項４】
前記第２波形期間において、
前記第１交流期間の前記第１単位駆動期間における、前記第２極性期間の長さに対する前記第１極性期間の長さの比は、６．０以上であり、
前記第２交流期間の前記第２単位駆動期間における、前記第１極性期間の長さに対する前記第２極性期間の長さの比は、６．０以上である、請求項３に記載の放電灯駆動装置。
【請求項５】
前記第２波形期間において、前記第１交流期間の長さおよび前記第２交流期間の長さは、２０ｍｓ以上である、請求項１から４のいずれか一項に記載の放電灯駆動装置。
【請求項６】
前記第２波形期間において、前記第１交流期間の長さおよび前記第２交流期間の長さは、２００ｍｓ以上である、請求項５に記載の放電灯駆動装置。
【請求項７】
前記第２波形期間は、前記第１交流期間の前記第１単位駆動期間における前記第２極性期間の長さに対する前記第１極性期間の長さの比の最大値、および前記第２交流期間の前記第２単位駆動期間における前記第１極性期間の長さに対する前記第２極性期間の長さの比の最大値が、前記第１波形期間よりも大きい、請求項１から６のいずれか一項に記載の放電灯駆動装置。
【請求項８】
前記第２波形期間は、前記第１交流期間の前記第１単位駆動期間における前記第２極性期間の長さに対する前記第１極性期間の長さの比の最小値、および前記第２交流期間の前記第２単位駆動期間における前記第１極性期間の長さに対する前記第２極性期間の長さの比の最小値が、前記第１波形期間よりも大きい、請求項１から７のいずれか一項に記載の放電灯駆動装置。
【請求項９】
前記第２波形期間の前記第１交流期間の長さ、および前記第２波形期間の前記第２交流期間の長さは、それぞれ前記第１波形期間の前記第１交流期間および前記第２交流期間の長さよりも大きい、請求項１から８のいずれか一項に記載の放電灯駆動装置。
【請求項１０】
前記第１単位駆動期間における前記第２極性期間の長さ、および前記第２単位駆動期間における前記第１極性期間の長さは、０．１６ｍｓ以上であり、１．０ｍｓより小さい、請求項１から９のいずれか一項に記載の放電灯駆動装置。
【請求項１１】
前記第１単位駆動期間における前記第１極性期間の長さ、および前記第２単位駆動期間における前記第２極性期間の長さは、１．０ｍｓ以上である、請求項１から１０のいずれか一項に記載の放電灯駆動装置。
【請求項１２】
前記第２波形期間において、前記第１単位駆動期間における前記第１極性期間の長さ、および前記第２単位駆動期間における前記第２極性期間の長さは、２．５ｍｓ以上である、請求項１１に記載の放電灯駆動装置。
【請求項１３】
前記第１電極と前記第２電極との間の電極間電圧を検出する電圧検出部をさらに備え、
前記第１交流期間における前記第１単位駆動期間の前記第１極性期間の合計、および前記第２交流期間における前記第２単位駆動期間の前記第２極性期間の合計は、前記電極間電圧が大きいほど、大きく設定される、請求項１から１２のいずれか一項に記載の放電灯駆動装置。
【請求項１４】
前記第１交流期間の長さ、および前記第２交流期間の長さは、前記電極間電圧が大きいほど、大きく設定される、請求項１３に記載の放電灯駆動装置。
【請求項１５】
前記第１単位駆動期間の前記第２極性期間の長さに対する前記第１極性期間の長さの比、および前記第２単位駆動期間の前記第１極性期間の長さに対する前記第２極性期間の長さの比は、前記電極間電圧が大きいほど、大きく設定される、請求項１３または１４に記載の放電灯駆動装置。
【請求項１６】
前記第１電極と前記第２電極との間の電極間電圧を検出する電圧検出部をさらに備え、
前記駆動電流において、前記第１波形期間の長さの合計に対する前記第２波形期間の長さの合計の割合は、前記電極間電圧が大きいほど、大きく設定される、請求項１から１２のいずれか一項に記載の放電灯駆動装置。
【請求項１７】
前記第１交流期間における前記第１単位駆動期間の前記第１極性期間の合計、および前記第２交流期間における前記第２単位駆動期間の前記第２極性期間の合計は、前記放電灯に供給される駆動電力が小さいほど、大きく設定される、請求項１から１６のいずれか一項に記載の放電灯駆動装置。
【請求項１８】
前記第１交流期間の長さ、および前記第２交流期間の長さは、前記駆動電力が小さいほど、大きく設定される、請求項１７に記載の放電灯駆動装置。
【請求項１９】
前記第１単位駆動期間の前記第２極性期間の長さに対する前記第１極性期間の長さの比、および前記第２単位駆動期間の前記第１極性期間の長さに対する前記第２極性期間の長さの比は、前記駆動電力が小さいほど、大きく設定される、請求項１７または１８に記載の放電灯駆動装置。
【請求項２０】
前記駆動電流において、前記第１波形期間の長さの合計に対する前記第２波形期間の長さの合計の割合は、前記放電灯に供給される駆動電力が小さいほど、大きく設定される、請求項１から１９のいずれか一項に記載の放電灯駆動装置。
【請求項２１】
光を射出する前記放電灯と、
請求項１から２０のいずれか一項に記載の放電灯駆動装置と、
を備えることを特徴とする光源装置。
【請求項２２】
請求項２１に記載の光源装置と、
前記光源装置から射出される光を映像信号に応じて変調する光変調素子と、
前記光変調素子により変調された光を投射する投射光学系と、
を備えることを特徴とするプロジェクター。
【請求項２３】
第１電極および第２電極を有する放電灯に駆動電流を供給して、前記放電灯を駆動させる放電灯駆動方法であって、
前記放電灯に交流電流が供給される第１波形期間および第２波形期間を有する駆動電流を前記放電灯に供給するステップを備え、
前記第１波形期間および前記第２波形期間は、
前記第１電極が陽極となる第１極性期間と前記第２電極が陽極となる第２極性期間とからなり前記第１極性期間の長さが前記第２極性期間の長さよりも大きい第１単位駆動期間が複数連続して構成される第１交流期間と、
前記第１極性期間と前記第２極性期間とからなり前記第２極性期間の長さが前記第１極性期間の長さよりも大きい第２単位駆動期間が複数連続して構成される第２交流期間と、
を含み、
前記第２波形期間の前記第１交流期間における前記第１極性期間の長さの合計は、前記第１波形期間の前記第１交流期間における前記第１極性期間の長さの合計よりも大きく、
前記第２波形期間の前記第２交流期間における前記第２極性期間の長さの合計は、前記第１波形期間の前記第２交流期間における前記第２極性期間の長さの合計よりも大きいことを特徴とする放電灯駆動方法。
【手続補正２】
【補正対象書類名】明細書
【補正対象項目名】００３４
【補正方法】変更
【補正の内容】
【００３４】
本発明の放電灯駆動方法の一つの態様は、第１電極および第２電極を有する放電灯に駆動電流を供給して、前記放電灯を駆動させる放電灯駆動方法であって、前記放電灯に交流電流が供給される第１波形期間および第２波形期間を有する駆動電流を前記放電灯に供給するステップを備え、前記第１波形期間および前記第２波形期間は、前記第１電極が陽極となる第１極性期間と前記第２電極が陽極となる第２極性期間とからなり前記第１極性期間の長さが前記第２極性期間の長さよりも大きい第１単位駆動期間が複数連続して構成される第１交流期間と、前記第１極性期間と前記第２極性期間とからなり前記第２極性期間の長さが前記第１極性期間の長さよりも大きい第２単位駆動期間が複数連続して構成される第２交流期間と、を含み、前記第２波形期間の前記第１交流期間における前記第１極性期間の長さの合計は、前記第１波形期間の前記第１交流期間における前記第１極性期間の長さの合計よりも大きく、前記第２波形期間の前記第２交流期間における前記第２極性期間の長さの合計は、前記第１波形期間の前記第２交流期間における前記第２極性期間の長さの合計よりも大きいことを特徴とする。